(57)【要約】【課題】気温の高い環境下で手持式の扇風機を動作させる際に、ドライアイスを用いて扇風の温度を急速に低下できる急冷携帯扇風機を提供する。【解決手段】携帯扇風機１００の回転ファン部１１０の前面にドライアイスを収納する急速冷却部２００を配置する急冷携帯扇風機において、急速冷却部２００は、多数の細孔２１１を設けた前面板２１２と前筒状部２１３とを備えた前面部２１０と、多数の細孔２２１を設けた後面板２２２と後筒状部２２３と複数の水平の隔板２２４を備えた後面部２２０とを組合せて形成され、前面板２１２と後面板２２２との間の空間が前筒状部２１３と後筒状部２２３と複数の水平の隔板２２４により区分された複数の区画の各区間内に、粒状又は粉末状ドライアイス２３０を収納し保持する。【選択図】図１
2020112102.tif 000002
【特許請求の範囲】
【請求項１】
携帯扇風機の回転ファン部の前面に、ドライアイスを収納する急速冷却部を配置する急冷携帯扇風機において、前記急速冷却部は、多数の細孔を設けた前面板と前筒状部とを備えた前面部と、多数の細孔を設けた後面板と後筒状部と複数の水平の隔板とを備えた後面部と、を組合せて形成され、前記前面板と前記後面板との間の空間が前記前筒状部と前記後筒状部と前記複数の水平の隔板により区分された複数の区画の各区画内に、粒状又は粉末状ドライアイスを収納し保持することを特徴とする急冷携帯扇風機。
【請求項２】
請求項１に記載された急冷携帯扇風機において、前記前面部には、更に、前記前面板に複数の把持ナット部と複数のボルト部が設けられ、前記後面部には、更に、前記後筒状部の内側に内側筒状部が設けられ、また、前記後筒状部に複数の回転係止部が設けられており、前記前筒状部を、前記後筒状部と前記内側筒状部のすき間に挿入して、前記複数の回転係止部により、前記前面部を前記後面部に固定することを特徴とする急冷携帯扇風機。
【請求項３】
請求項１に記載された急冷携帯扇風機において、前記前面部には、更に、前記前面板に複数の把持ナット部と複数のボルト部が設けられ、また、前記前筒状部の外面に複数の係止突起が設けられており、前記複数の係止突起には、前記携帯扇風機の回転ファン部の枠部の複数個所に係止可能な複数の係止部を備えた複数の緩衝帯が接続可能であり、前記後筒状部を前記前筒状部内に挿入して、前記複数の係止部を前記枠部にの複数個所に係止して固定することを特徴とする急冷携帯扇風機。
【発明の詳細な説明】
【技術分野】
【０００１】
本発明は、携帯型（手持式）の扇風機の扇風を、ドライアイスを用いて急速冷却し、屋内及び屋外で涼風を楽しむことができる急冷携帯扇風機に関するものである。
【背景技術】
【０００２】
小型の充電池を内蔵し、パソコンのＵＳＢ端子等から充電して屋外に携帯して、充電した電池の動力により扇風機の羽を回転し、手持式で扇風機の風を楽しむことができる携帯扇風機が普及し始めている。
【０００３】
携帯型（手持式）の扇風機では、風量が十分でなく、かつ、外気の生暖かい空気を送風するだけであって、十分に涼しい扇風を送ることは容易ではなかった。
【０００４】
扇風機の風を涼しくするために、色々な試みがなされている。例えば、特許文献１には、扇風により水分を気化させて気化熱により温度の低下した涼風を供給する扇風機及び扇風機用涼風装置が記載されている。図１１に示されているように、涼風扇風機１１１０の涼風装置１１２０は、水拡散布１１２１が、平板格子状支持部１１２２に支持されて、カバー接続部固定具１１２３、ファン駆動部固定具１１２４により、扇風機１１１０の前面に鉛直に配置されている。
【０００５】
図１２に示されるように、水供給筒１２０５からの水媒体が供給されて水拡散布１２０１に浸透し、平面格子状支持部１２０２により支持された平面状の水拡散布１２０１には、熱伝導性の良い、例えば、アルミニウムなどの金属材料により複数の通気孔部１２１２が設けられ、水拡散布１１２１の通気孔部１２１２の周囲を浸透して流下する水により気化熱を奪われて温度が低下した涼風が、複数の通気孔部１２１２と水拡散布１２０１を介して送風される。
しかしながら、特許文献１のように水の気化熱により風の温度を低下させる方式では、涼風の温度を十分に低下させることは容易ではなかった。
【０００６】
また、特許文献２には、冷風扇風機が記載されており、図１３に示すように、扇風機１３０４に４段のつり金具１３０１を取り付け、１段目から３段目に、氷や、ドライアイス、凍ったペットボトル、保冷剤が入った小箱１３０２を乗せ、４段目の小箱１３０３を、しずくを受け止める水受けとする扇風機１３０４が記載されており、扇風機の風を冷風にするためにドライアイスを用いることも示されている。
しかしながら、特許文献２の場合には、ドライアイスは、氷や、凍ったペットボトル、保冷剤と同様に、小箱１３０２に入れられるものとして列挙されたにものに過ぎず、しずくを受け止める水受けの小箱１３０３も必須であって、ドライアイスにより扇風機の風を冷却するための格別の工夫がなされたものではない。
【０００７】
また、特許文献３には、冷凍庫で冷凍されたアイスパックを既存の携帯用扇風機背面部に装着する携帯用アイスパック扇風機が記載されており、図１４に示すように、乾電池１４０６で駆動される扇風機ファン１４０３の後面形態部１４０５に、アイスパック１４０４を装着し、アイスパック１４０４で冷却された風を扇風機ファン１４０３で前面に出すことが示されている。
しかしながら、アイスパック１４０４は、冷凍庫で冷凍するものであって、ドライアイスにより扇風機の風を冷却するものではない。
【０００８】
また、特許文献４には、二酸化炭素扇風機が記載されており、図１５に示すように、スタンド１５０２の一端はファン本体１５０１を接続し、スタンド１５０２の他端は二酸化炭素の箱１５０３を接続し、二酸化炭素の箱１５０３はファン本体１５０１の通気口に設置され、二酸化炭素の箱１５０３上でガード１５０４を設けている。
しかしながら、特許文献４には、「二酸化炭素の箱には二酸化炭素のブロックを配置する」とも記載されていて、ドライアイスの固体ブロックの使用が示されているに過ぎない。
【先行技術文献】
【特許文献】
【０００９】
【特許文献１】実用新案登録第３１７８８６２号公報
【特許文献２】特許公開２００３-３２６７０号公報
【特許文献３】韓国公開特許第１０-２００５-００９２３５２号公報
【特許文献４】中国実用新型専利２０４４７６８０１号公報
【発明の概要】
【発明が解決しようとする課題】
【００１０】
本発明が解決しようとする問題点は、従来の携帯扇風機では、手持式の扇風機を動作させるときに、気温の高い環境下で扇風機の扇風の温度を急速に低下させることができない点であり、本発明が解決しようとする課題は、気温の高い環境下で手持式の扇風機を動作させる際に、ドライアイスを用いて扇風の温度を急速に低下できる急冷携帯扇風機を提供することである。
【課題を解決するための手段】
【００１１】
本発明の急冷携帯扇風機は、携帯扇風機の回転ファン部の前面にドライアイスを収納する急速冷却部を配置する急冷携帯扇風機において、前記急速冷却部は、多数の細孔を設けた前面板と前筒状部とを備えた前面部と、多数の細孔を設けた後面板と後筒状部と複数の水平の隔板を備えた後面部とを組合せて形成され、前記前面板と前記後面板との間の空間が、前記円筒状部と前記後筒状部と前記複数の水平の隔板により区分された複数の区画の各区間内に、粒状又は粉末状ドライアイスを収納し保持することが可能であることを特徴とする。
【発明の効果】
【００１２】
本発明の急冷携帯扇風機では、後面板の多数の細孔に入った扇風が、粒状又は粉末状ドライアイスの内部を通過して粒状又は粉末状ドライアイスに接触して急速に冷却され、扇風機の風量を損なうことなく、温度が十分に低下した冷風を、前面板の多数の細孔から送風することにより、気温の高い環境下で手持式の扇風機を動作させる際に、ドライアイスを用いて扇風の温度を急速に低下できるという利点がある。
【図面の簡単な説明】
【００１３】
【図１】図１は本発明の急冷携帯扇風機の側面の断面図である。（実施例）
【図２】図２は本発明の急冷携帯扇風機の携帯扇風機と急速冷却部の正面図である。（実施例）
【図３】図３は本発明の急冷携帯扇風機の急速冷却部の具体例の内側を示す分解図である。（具体例１）
【図４】図４は本発明の急冷携帯扇風機の急速冷却部の具体例を組立てた正面図である。（具体例１）
【図５】図５は本発明の急冷携帯扇風機の急速冷却部の具定例を組立てた斜視図である。（具体例１）
【図６】図６は本発明の急冷携帯扇風機の急速冷却部の他の具体例の内側を示す分解図である。（具体例２）
【図７】図７は本発明の急冷携帯扇風機の急速冷却部の他の具体例を組立てた正面図である。（具体例２）
【図８】図８は本発明の急冷携帯扇風機の急速冷却部を他の具体例を組立てた斜視図である。（具体例２）
【図９】図９は本発明の急冷携帯扇風機に使用されるドライアイスの種類を説明する説明面である。
【図１０】図１０は本発明の急冷携帯扇風機の急速冷却部の前面板と後面板に設けられる多数の細孔の直径と細孔間隔について説明する説明図である。
【図１１】図１１は従来例である涼風扇風機と涼風装置を説明する図面である。（従来例１）
【図１２】図１２は従来例である涼風扇風機と涼風装置の水拡散布と多数の通気口部を説明する図面である。（従来例１）
【図１３】図１３は従来例である冷風扇の部品を説明する図面である。（従来例２）
【図１４】図１４は従来例である携帯用アイスパック扇風機を説明する図面である。（従来例３）
【図１５】図１５は従来例である二酸化炭素扇風機を説明する図面である。（従来例４）
【発明を実施するための形態】
【００１４】
以下に、本発明の実施の態様について、添付の図１〜図１０を用いて説明する。
【実施例】
【００１５】
図１は、本発明の急冷携帯扇風機の側面の断面図である。図１において、１００は携帯扇風機、２００は急速冷却部である。また、１１０は回転ファン部、１１１は枠部、１１２は回転ファンであり、１２０は手持部、１２１は内蔵電池、１３０は回転ファン部１１０と手持部を接続する回転接続部である。
【００１６】
更に、急速冷却部２００では、２１０は前面部、２１１は多数の細孔、２１２は前面板、２１３は前筒状部、２２０は後面部、２２１は多数の細孔、２２２は後面板、２２３は後筒状部、２２４は水平の隔板、２３０は粒状または粉末状ドライアイスを示している。
【００１７】
図１において、急速冷却部２００は、携帯扇風機１００の回転ファン部１１０の前面に配置される。急速冷却部２００は、多数の細孔２１１を設けた前面板２１２と前筒状部２１３から成る前面部２１０と、多数の細孔２２１を設けた後面板２２２と後筒状部２２３と複数の水平の隔板２２４から成る後面部２２０とを組合せて形成されている。
【００１８】
図１において、多数の細孔２１１を設けた前面板２１２と、多数の細孔２２１を設けた後面板２２２との間の空間は、前筒状部２１３と後筒状部２２３と複数の水平の隔板２２４により複数の区画に区分され、複数の区画の各区画内に、粒状または粉末状ドライアイス２３０を収納し保持することが可能である。
【００１９】
図１において、複数の区画の各区画内に、粒状または粉末状ドライアイス２３０を収納した急速冷却部２００を携帯扇風機１００の回転ファン部１１０の前面に配置し、手持部１２０に内蔵した内蔵電池１２１の動力で、回転ファン１１２を回転させる。
【００２０】
図１において、外気の生暖かい空気が前方に送風され、後面板２２２の多数の細孔２２１から、急速冷却部２００内に流入すると、急速冷却部２００内で、複数の区画の各区画内に収納し保持された粒状または粉末状ドライアイス２３０に全面的に接触して急速に冷却され、冷風が前面２１２の多数の細孔２１１から前方に噴出するので、十分に涼しい扇風を楽しむことができる。
【００２１】
図２は本発明の急冷携帯扇風機の携帯扇風機と急速冷却部を示す正面図である。（実施例）
携帯扇風機１００の回転ファン部１１０は、枠部１１１、回転ファン１１２を備えており、手持部１２０は、内蔵電池１２１、ＵＳＢ接続部１２２、ＯＮＯＦＦボタン１２３、風量調節ボタン１２４を備えている。また、携帯扇風機１００の回転ファン部１１０と手持部１２０とは、回転接続部１３０により折り畳み可能なコンパクトな形態となっている。
【００２２】
また、図２において、２００は急速冷却部、２１０は前面部、２１１は多数の細孔、２１２は前面板、２１３は前筒状部、２２０は後面部、２２１は多数の細孔、２２２は後面板、２２３は後筒状部、２２４は水平の隔板を示しており、粒状または粉末状ドライアイス２３０を収納し保持することが可能な複数の区画を形成する、前面板２１２と前筒状部２１３と後面板２１２と後筒状部２１３と複数の水平の隔板２２４とについては、異なる斜線により区別して記載している。
【００２３】
図２において、多数の細孔２１１を設けた前面板２１２と、多数の細孔２２１を設けた後面板２２２との間の空間は、前筒状部２１３と後筒状部２２３と複数の水平の隔板２２４により複数の区画に区分され、複数の区画の各区画内に、粒状または粉末状ドライアイス２３０を収納し保持することが可能である。
【００２４】
図３は本発明の急冷携帯扇風機の急速冷却部の具体例の内側を示す分解図である。（具体例１）
図３の具体例１において、図３（Ａ）は、前面部２１０の内側を、図３（Ｂ）は、後面部２２０の内側を示している。
【００２５】
図３（Ａ）において、２００は急速冷却部、２１０は前面部、２１１は多数の細孔、２１２は前面板、２１３は前筒状部、２１４はボルト部を示している。
また、図３（Ｂ）において、２００は急速冷却部、２２０は後面部、２２１は多数の細孔、２２２は後面板、２２３は後筒状部、２２４は複数の水平の隔板、２２５は内側筒状部、２２６は複数の回転係止部を示している。
【００２６】
図３（Ａ）の前面部２１０と、図３（Ｂ）の後面部２２０を組合せて、急速冷却部２００を形成するために、前面部２１０の内側には、外面に把持ナット部を取り付けるための複数のボルト部２１４が追加され、後面部２２０の後筒状部２２３の内側には、内側筒状部２２５が追加され、後筒状部２２３の外側には、複数の回転係止部２２６が追加されている。
【００２７】
急速冷却部２００内に、粒状または粉末状ドライアイス２３０を収納し保持するには、後面板２２２と水平の隔板２２４と後筒状部２２３の内側の内側筒状部２２５との間の各区画内に、粒状または粉末状ドライアイス２３０を詰め込んだ後、前面部２１０の前筒状部２１３を、後面部２２０の後筒状部２２３と内側筒状部２２５との間のすき間に挿入して一体化し、複数の回転係止部２２６の係止片を回転して、前面部２１０を固定する。
【００２８】
図４は本発明の急冷携帯扇風機の急速冷却部の具体例を組立てた正面図である。（具体例１）
図４において、２００は急速冷却部、２１０は前面部、２１１は多数の細孔、２１２は前面板、２１５は複数の把持ナット部、２２３は後筒状部、２２６は複数の回転係止部を示している。
【００２９】
図４において、急速冷却部２００の前面板２１２に設けられた複数の把持ナット部２１５を指で把持して、前面部２１０の前筒状部２１３を、後面部２２０の後筒状部２２３と内側筒状部２２５との間のすき間に挿入して一体化し、複数の回転係止部２２６の係止片を回転して、前面部２１０を固定している。
【００３０】
図５は本発明の急冷携帯扇風機の急速冷却部の具体例を組立てた斜視図である。（具体例１）
図５において、２００は急速冷却部、２１１は多数の細孔、２１２は前面板、２１５は複数の把持ナット部、２２３は後筒状部、２２６は複数の回転係止部を示している。
【００３１】
なお、図示しないが、急速冷却部２００の後筒状部２２３の後端を、携帯扇風機１００の回転ファン部１１０の枠部１１１に固着しておくことにより、携帯扇風機１００と急速冷却部２００とが一体化され、携帯扇風機１００の回転ファン部１１０からの風を、後筒状部２２３を介して、後面板２２２の多数の細孔２２１から急速冷却部２００内に導入することができる。
【００３２】
図６は本発明の急冷携帯扇風機の急速冷却部の他の具体例の内側を示す分解図である。（具体例２）
図６の具体例２において、図６（Ａ）は、前面部２１０の他の具体例の内側を、図６（Ｂ）は、後面部２２０の他の具体例の内側を示している。
【００３３】
図６（Ａ）において、２００は急速冷却部、２１０は前面部、２１１は多数の細孔、２１２は前面板、２１３は前筒状部、２１４は複数のボルト部、２１６は複数の係止突起を示している。
また、図３（Ｂ）において、２００は急速冷却部、２２０は後面部、２２１は多数の細孔、２２２は後面板、２２３は後筒状部、２２４は複数の水平の隔板を示している。
【００３４】
図６（Ａ）の前面部２１０と、図６（Ｂ）の後面部２２０とを組合せて、急速冷却部２００を形成するために、前面部２１０の内側には、外面に複数の把持ナット部２１５を取り付けるための複数のボルト部２１４が追加され、また、前筒状部２１０の外面には、複数の係止部２１６が追加されている。
また、後筒状部２２３の内側には、複数の水平の隔板２２４が設けられ、後筒状部２２３の直径は、前筒状部２１３の直径よりも若干短く、後筒状部２２３が前筒状部２１３内に挿入されて、急速冷却部２００が形成される寸法となっている。
いる。
【００３５】
急速冷却部２００内に、粒状または粉末状ドライアイス２３０を収納し保持するには、後面板２２２と複数の水平の隔板２２４と後筒状部２２３との間の各区画内に、粒状または粉末状ドライアイス２３０を詰め込んだ後、前面部２１０の前筒状部２１３を、後面部２２０の後筒状部２２３上に嵌め込んで一体化し、前筒状部２１３の外面に設けられた複数の係止突起２１６を利用して、携帯扇風機１００の回転ファン部１１０の前面に配置し固定する。
【００３６】
図７は本発明の急冷携帯扇風機の急速冷却部の他の具体例を組立てた正面図である。（具体例２）
図７において、２００は急速冷却部、２１１は多数の細孔、２１２は前面板、２１３は前筒状部、２１５は複数の把持ナット部、２１６は複数の係止突起、２１７は緩衝帯を示している。
【００３７】
図７において、急速冷却部２００の前面板２１２に設けられた複数の把持ナット部２１５を指で把持して、前面部２１０の前筒状部２１３を、後面部２２０の後筒状部２２３に被せて一体化し、複数の係止突起２１６にゴムバンド等の緩衝帯２１７を取り付ける。
【００３８】
図８は本発明の急冷携帯扇風機の急速冷却部の他の具体例を組立てた斜視図である。（具体例２）
図８において、２００は急速冷却部、２１１は多数の細孔、２１２は前面板、２１３は前筒状部、２１５は複数の把持ナット部、２１６は複数の係止突起、２１７は緩衝帯、２２８係止部を示している。
【００３９】
なお、急速冷却部２００の前筒状部２２３の係止突起２１６に係合されたゴムバンドｋ等の緩衝帯の先端に取り付けられた係止部２１８を、携帯扇風機１００の回転ファン部１１０の枠部１１１の複数個所に係止することにより、携帯扇風機１００の回転ファン部の前面に急速冷却部２００とが取り外し可能な形で一体化され、携帯扇風機１００の回転ファン部１１０からの風を、後筒状部２２３を介して、後面版２２２の複数の細孔２２から、急速冷却部２００内に導入することができる。
【００４０】
図９は本発明の急冷携帯扇風機に使用されるドライアイスの種類を説明する図面である。図９（Ａ）は角型のブロック状ドライアイス、図９（Ｂ）は角型のブロック状ドライアイスを裁断したスライス状ドライアイス、図９（Ｃ）は粒状ドライアイス、図９（Ｄ）は粉末状ドライアイスを示している。本発明の急冷携帯扇風機には、図９（Ｃ）の粒状ドライアイスや図９（Ｄ）の粉末状ドライアイスを使用可能である。
【００４１】
図９（Ｃ）の粒状ドライアイスとしては、角型のドライアイスを専用の装置で砕き、粒状のドライアイスと粉末状のドライアイスが混ざった状態にした「クラッシュドアイス」や、専用装置で製造される円筒状の「ペレットドライアイス」が知られている。
また、図９（Ｄ）の粉末状ドライアイスとしては、液化炭酸ガスから専用装置で製造する「スノードライアイス」などが知られている。これらのドライアイスは市販されており、容易に入手して本発明に使用することができる。
【００４２】
図１０は本発明の急冷携帯扇風機の急速冷却部の前面版と後面版に設けられる多数の細孔の直径と細孔間隔を説明する図面である。
図１０（ａ）は円形の細孔を縦横に配置したもの、図１０（ｂ）は円形の細孔を等間隔に配置したもの、図１０（ｃ）は四角形の細孔を縦横に配置したもの、図１０（ｄ）は六角形の円孔を等間隔に配置したものを例示している。
【００４３】
図１０では、細孔の直径を「Ｌ」、細孔間の間隔を「Ｄ」で表しているが、本発明では、使用するドライアイスの種類にも依存するが、細孔の直径「Ｌ」を、１．５ｍｍ〜２．５ｍｍ程度に設定し、細孔間の間隔「Ｄ」を２．５ｍｍ〜５ｍｍ程度に設定すると、粒状又は粉末状ドライアイスを急速冷却部２００の各区画内に収納して保持することができ、しかも、後面板２２２の多数の細孔２２１から急速冷却部２００内に入った扇風が、粒状又は粉末状ドライアイスの内部を通過して、粒状又は粉末状ドライアイスに直接接触して冷却され、扇風機の風量を損なうことなく、温度が十分に低下した冷風を、前面板２１２の多数の細孔２１１から送風することが可能である。
【産業上の利用可能性】
【００４４】
本発明の急冷携帯扇風機は、手持式の携帯扇風機への適用を検討したものであるが、本発明の考え方を家庭用の電気扇風機に適用することも可能であり、また、本発明の急冷携帯扇風機又は急冷の家庭用扇風機を直列あるいは並列に複数段配置して、業務用に使用する大型の急冷の扇風機システムとすることも可能である。
【符号の説明】
【００４５】
１００  携帯扇風機
１１０  回転ファン部
１１１  枠部
１１２  回転ファン
１２０  手持部
１２１  内蔵電池
１２２  ＵＳＢ接続部
１２３  ＯＮＯＦＦボタン
１２４  風量調節ボタン
１３０  回転接続部
２００  急速冷却部
２１０  前面部
２１１  多数の細孔
２１２  前面板
２１３  前筒状部
２１４  ボルト部
２１５  把持ナット部
２１６  係止突起
２１７  緩衝帯
２１８  係止部
２２０  後面部
２２１  多数の細孔
２２２  後面板
２２３  後筒状部
２２４  水平の隔板
２２５  内側筒状部
２２６  回転係止部
２３０  粒状または粉末状ドライアイス
１１１０  涼風扇風機
１１２０  涼風装置
１１２１  水拡散布
１１２２  平板格子状支持部
１１２３  カバー接続部固定具
１１２４  ファン駆動部固定具
１２０１  水拡散布
１２０２  平面格子状支持部
１２０５  水供給筒
１２１２  通気孔部
１３０１  つり金具
１３０２  氷、ドライアイス、凍ったペットボトル、保冷剤を入れる箱
１３０３  水受けの箱
１３０４  扇風機
１４０１  前面保護覆い
１４０２  前面形態部
１４０３  扇風機ファン
１４０４  アイスパック
１４０５  後面形態部
１４０６  乾電池
１５０１  ファン本体
１５０２  スタンド
１５０３  二酸化炭素の箱
１５０４  ガード
【図１】
2020112102.tif 000003
【図２】
2020112102.tif 000004
【図３】
2020112102.tif 000005
【図４】
2020112102.tif 000006
【図５】
2020112102.tif 000007
【図６】
2020112102.tif 000008
【図７】
2020112102.tif 000009
【図８】
2020112102.tif 000010
【図９】
2020112102.tif 000011
【図１０】
2020112102.tif 000012
【図１１】
2020112102.tif 000013
【図１２】
2020112102.tif 000014
【図１３】
2020112102.tif 000015
【図１４】
2020112102.tif 000016
【図１５】
2020112102.tif 000017